(57)【要約】【課題】看板を簡易かつ確実に柱体に取り付けることができる看板取付け装置を提供する。【解決手段】  看板１の上横枠１２と下横枠１４にそれぞれ着脱可能に取り付けられる上側取付け具２と下側取付け具３を備え、各取付け具２，３は左右に位置させられて看板１に着脱可能に止着される取付け部材２１Ａ，２１Ｂ，３１Ａ，３１Ｂと、これら取付け部材間に架設され、看板１を柱体の一側周面に沿って位置させた状態で柱体の他側周面に掛けまわされる弾性的に伸長可能なゴム紐５とを備える。左右の取付け部材２１Ａ，２１Ｂ，３１Ａ，３１Ｂには複数の環状体４１，６１を連結した鎖部材４，６の一端が結合されており、ゴム紐５，７の両端を鎖部材４，６の環状体４１，６１の一つに係止する。【選択図】        図１
2013134380.tif 000002
【特許請求の範囲】
【請求項１】
看板の上縁と下縁にそれぞれ着脱可能に取り付けられる上側取付け具と下側取付け具を備え、各取付け具は左右に位置させられて看板に着脱可能に止着される取付け部材と、これら取付け部材間に架設され、看板を柱体の一側周面に沿って位置させた状態で柱体の他側周面に掛けまわされる弾性的に伸長可能な紐部材とを備える看板取付け装置。
【請求項２】
前記左右の取付け部材には少なくとも一方に、複数の環状体を連結した鎖部材の一端が結合されており、前記紐部材の少なくとも一端を前記鎖部材の環状体の一つに係止するようにした請求項１に記載の看板取付け装置。
【請求項３】
前記左右の取付け部材に、前記看板の後方に位置する当接部材を設け、前記看板を柱体の一側周面に沿って位置させた状態で前記当接部材が柱体の前記一側周面に当接するようにした請求項１又は２に記載の看板取付け装置。
【発明の詳細な説明】
【技術分野】
【０００１】
本発明は看板取付け装置に関し、特に、看板を電柱や街路灯ポール等の柱体に取り付ける際に使用する看板取付け装置に関する。
【背景技術】
【０００２】
従来、立て看板は自立可能な構造としたものも多いが、この場合でも適所に電柱や街路灯があれば、これらの柱体に取り付けておく方が強風等による転倒を防止する上で好ましい。このような場合、従来は、針金線等で看板を柱体に緊縛するようにしている。
【０００３】
なお、特許文献１にはガードケーブルの柱体に看板を取り付けるための看板取付け具が開示されている。
【先行技術文献】
【特許文献】
【０００４】
【特許文献１】特開２００２−６９９４７
【発明の概要】
【発明が解決しようとする課題】
【０００５】
しかし針金線等で看板を柱体に緊縛する従来の方法では、緊縛施工が粗雑であると風圧で看板が傾いて歩行者や通行車両に接触することがあり、また柱体が針金線等で損傷するのを防止するために土嚢袋や麻袋を予め柱体外周に巻回しておく必要があってこの作業に手間取るという問題があった。
【０００６】
そこで、本発明はこのような課題を解決するもので、看板を簡易かつ確実に柱体に取り付けることができる看板取付け装置を提供することを目的とする。
【課題を解決するための手段】
【０００７】
上記目的を達成するために、本第１発明では、看板（１）の上縁（１２）と下縁（１４）にそれぞれ着脱可能に取り付けられる上側取付け具（２）と下側取付け具（３）を備え、各取付け具（２，３）は左右に位置させられて看板（１）に着脱可能に止着される取付け部材（２１Ａ，２１Ｂ，３１Ａ，３１Ｂ）と、これら取付け部材間に架設され、看板（１）を柱体（Ｐ）の一側周面に沿って位置させた状態で柱体（Ｐ）の他側周面に掛けまわされる弾性的に伸長可能な紐部材（５）とを備える。
【０００８】
本第１発明によれば、看板に取付け部材を止着し、看板を柱体の一側周面に沿って位置させた後に紐部材を柱体の他側周面に掛けまわすことにより、看板は紐部材の弾性復帰力によって確実に柱体の周面に沿って保持させる。このようにして看板を簡易かつ確実に柱体に取り付けることができる。
【０００９】
本第２発明では、前記左右の取付け部材（２１Ａ，２１Ｂ，３１Ａ，３１Ｂ）には少なくとも一方に、複数の環状体（４１，６１）を連結した鎖部材（４，６）の一端が結合されており、前記紐部材（５，７）の少なくとも一端を前記鎖部材（４，６）の環状体（４１，６１）の一つに係止するようにする。
【００１０】
本第２発明によれば、紐部材を係止する環状体を柱体の外径に応じて適宜選択することによって柱体の他側周面に掛けまわした際の紐部材の伸長量を調整できるから、常に紐部材の適正な弾性復帰力によって看板を柱体の周面に沿って保持させることができる。また、装置を使用しない状態では鎖部材は下方に垂れて突出しないから、コンパクトな収納が可能である。
【００１１】
本第３発明では、前記左右の取付け部材（２１Ａ，２１Ｂ，３１Ａ，３１Ｂ）に、前記看板（１）の後方に位置する当接部材（２２，３２）を設け、前記看板（１）を柱体（Ｐ）の一側周面に沿って位置させた状態で前記当接部材（２２，３２）が柱体（Ｐ）の前記一側周面に当接するようにする。
【００１２】
本第３発明によれば、当接部材によって看板を柱体から浮かして取り付けることができるから、看板の塗料等が柱体に付着する等の不具合を防止することができる。
【００１３】
上記カッコ内の符号は、後述する実施形態に記載の具体的手段との対応関係を示すものである。
【発明の効果】
【００１４】
以上のように、本発明の看板取付け装置によれば、看板を簡易かつ確実に柱体に取り付けることができる。
【図面の簡単な説明】
【００１５】
【図１】本発明の一実施形態を示す、看板取付け装置を備えた縦看板を後方から見た斜視図である。
【図２】上側看板取付け具の取付け部材の部分断面側面図である。
【図３】看板を柱体に取り付けた状態での上側看板取付け具の平面図である。
【図４】下側看板取付け具の取付け部材の部分断面側面図である。
【図５】看板を柱体に取り付けた状態での下側看板取付け具の平面図である。
【図６】看板を看板取付け装置で柱体に取り付けた状態の斜視図である。
【発明を実施するための形態】
【００１６】
なお、以下に説明する実施形態はあくまで一例であり、本発明の要旨を逸脱しない範囲で当業者が行う種々の設計的改良も本発明の範囲に含まれる。
【００１７】
図１には立て看板に本発明の看板取付け装置を装着した例を示す。図１は立て看板１を裏面側から見たもので、角形の看板１の裏面には左右の縦枠１１と、縦枠１１を最上端で連結する上横枠１２、中間部で連結する中横枠１３、縦枠１１を下端部で連結する下横枠１４が設けられている。左右の縦枠１１の中間位置にはそれぞれ左右の脚部１５の上端が連結されており、これら脚部１５は上端を中心に看板１の後方へ一定角度範囲で回動可能となっている。各脚部１５は縦枠１１とほぼ同幅かつ同厚の長尺体で、脚部１５を縦枠１１に重ねた収納時に脚部１５の下端と縦枠１１の下端がほぼ一致する長さとしてある。左右の脚部１５は上記下横枠１４とほぼ同じ高さに設けた連結梁１６によって下端部間が連結されている。図１は脚部１５を看板後方へ回動させて立て看板１を自立させた状態を示している。
【００１８】
看板取付け装置は上下の看板取付け具２，３から構成されている。上下の看板取付け具２，３は基本的に同一構造で、左右位置に配設される一対の取付け部材２１Ａ，２１Ｂ，３１Ａ，３１Ｂを備えている。上側看板取付け具２の取付け部材２１Ａの詳細を図２に示す。取付け部材２１Ａは、板材を略Ｌ字状に屈曲成形した第１取付け片２１１と板材を略Ｚ字形に屈曲成形した第２取付け片２１２とを備えており、第１取付け片２１１を上方に、第２取付け片２１２を下方に位置させて、これら取付け片２１１，２１２を、上横枠１２の四角断面の外周を抱持するように対向させてある。
【００１９】
そして第１取付け片２１１に設けた横長状取付穴２１３（図３参照）と第２取付け片２１２に設けた円形取付穴２１４を一致させて、これら取付穴２１３，２１４内にボルト２１５を挿通し、蝶ナット２１６で両者を結合してある。取付穴２１３を長孔としたことにより、蝶ナット２１６を緩めて第２取付け片２１２を取付穴２１３に沿って移動させて上横枠１２から離間させることによって、取付け部材２１Ａを容易に上横枠１２から離脱させることができる。なお、第１取付け片２１１にはその板面から起立する立壁２１７が形成されており、第１取付け片２１１を上横枠１２に取り付けた図２の状態で、立壁２１７は略垂直に位置する。取付け部材２１Ｂは取付け部材２１Ａと左右対称形に成形されており（図３）、丸棒状の当接部材２２の両端を左右方向で対向する各取付け部材２１Ａ，２１Ｂの立壁２１７の取付穴２１８（図２）にそれぞれ貫通固着することによって、両取付け部材２１Ａ，２１Ｂは当接部材２２を介して連結されている。なお、当接部材２２の外周には柱体Ｐに対する当接時の緩衝等のために樹脂被覆を施す。
【００２０】
左右の取付け部材２１Ａ，２１Ｂの、各第１取付け片２１１の取付孔２１３内には鎖部材４（図３）の一端の環状体４１がそれぞれ挿通連結してある。鎖部材４は本実施形態では６個の環状体４１を連結して構成されている。そして、左右の鎖部材４のいずれかの環状体（図３では他端の環状体）４１に両端のフック部材５１をそれぞれ係止させて、これら鎖部材４間に、弾性的に伸縮可能な紐部材たるゴム紐５が架設されている。ゴム紐５としては市販のストレッチコード等を使用できる。
【００２１】
図４には下側看板取付け具３を構成する取付け部材３１Ａの詳細を示す。板材を略Ｌ字状に屈曲成形した第１取付け片３１１と板材を略Ｚ字形に屈曲成形した第２取付け片３１２とを備えており、第１取付け片３１１を後方に、第２取付け片３１２を前方に位置させて、これら取付け片３１１，３１２を、下横枠１４の四角断面の外周を抱持するように対向させてある。そして第１取付け片３１１に設けた円形取付け穴３１３と第２取付け片３１２に設けた縦長取付穴３１４を一致させて、これら取付穴３１３，３１４内に後方からボルト３１５を挿通し、前方から蝶ナット３１６で両者を結合する。取付穴３１４を長孔としたことにより、蝶ナット３１６を緩めて第２取付け片３１２を取付穴３１４に案内させて下横枠１４から移動離間させることによって、取付け部材３１Ａを容易に下横枠１４から離脱させることができる。なお、第１取付け片３１１にはその板面から起立するように立壁３１７が結合されており、第１取付け片３１１を下横枠１４に取り付けた状態で、立壁３１７は略水平に後方へ延びている。
【００２２】
取付け部材３１Ｂは取付け部材３１Ａと左右対称形に成形されており（図５）、丸棒の当接部材３２の両端を左右方向で対向する立壁３１７の取付穴３１８にそれぞれ貫通固着することによって両取付け部材３１Ａ，３１Ｂは当接部材３２を介して連結されている。なお、当接部材３２の外周には柱体Ｐとの、当接時の緩衝等のために樹脂被覆を施す。なお、上記立壁３１７の延伸寸法は、脚部１５を縦枠１１に重ねて収納状態とした時に（図５）、連結梁１６よりも後方に当接部材３２が位置する長さとしておく。
【００２３】
左右の取付け部材３１Ａ，３１Ｂの、各第１取付け片３１１に固着された立壁３１７に設けた取付孔３１９（図４）内には、鎖部材６の一端の環状体６１がそれぞれ挿通連結してある。鎖部材６は本実施形態では６個の環状体６１を連結して構成されている。そして、左右の鎖部材６のいずれかの環状体（図５では他端の環状体）６１に両端のフック部材７１をそれぞれ係止させて、これら鎖部材６間に、上述したのと同様の、弾性的に伸縮可能な紐部材たるゴム紐７１が架設されている。
【００２４】
以上説明したような看板取付け装置を取り付けた立て看板１はその脚部１５を縦枠１１に重ねて収納状態とし、取り付ける柱体Ｐの外径に応じて鎖部材４，６への係止位置を適宜変更してゴム紐５，７の一端を一方の鎖部材４，６に係止し、この状態で立て看板１を図６に示すように柱体Ｐの一側周面に位置させて、ゴム紐５，７を柱体Ｐの他側周面に沿わせた後、ゴム紐５，７を伸長させつつその他端を他方の鎖部材４，６に係止させる。この時のゴム紐５，７の原形への弾性収縮力によって立て看板１は柱体Ｐの周面に沿って保持される。立て看板１が柱体Ｐに保持された状態で、上下の看板取付け具２，３の当接部材２２，３２が柱体Ｐに当接する（図３、図５）。これにより、立て看板１の縦枠１１や横枠１２〜１４あるいは脚部１５や連結梁１６が柱体Ｐから離間して直接柱体Ｐに当接しないから、縦枠１１や横枠１２等の塗料が柱体Ｐに付着する等の不具合が防止される。
【００２５】
このような看板取付け装置は既存の立て看板１に容易に取り付けて、立て看板１をゴム紐５，７の弾性復帰力により確実に柱体Ｐの側面に沿って保持させることができる。この場合、立て看板１は必ずしも地上に位置させる必要は無く、地上から離れた上方の、柱体Ｐの高さ方向の中間位置に立て看板１を取り付けることができるから、歩行者等に視認されやすい高さに立て看板１を設置することが可能である。
【００２６】
なお、ゴム紐５，７の係止位置を変更するのに上記実施形態では鎖部材４，６を使用したが、他の構造を使用することももちろん可能である。また、鎖部材は必ずしも両方の取付け部材に設ける必要は無く、一方のみでも良い。看板は上記実施形態では自立可能な縦看板としたが、これに限られるものではない。さらに、当接部材は上記実施形態では棒体としたが、これに限られるものではない。
【符号の説明】
【００２７】
１…立て看板（看板）、２…上側取付け具、２１Ａ，２１Ｂ…取付け部材、２２…当接部材、３…下側取付け具、３１Ａ，３１Ｂ…取付け部材、３２…当接部材、４…鎖部材、４１…環状体、５…ゴム紐（紐部材）、６…鎖部材、６１…環状体、Ｐ…柱体。
【図１】
2013134380.tif 000003
【図２】
2013134380.tif 000004
【図３】
2013134380.tif 000005
【図４】
2013134380.tif 000006
【図５】
2013134380.tif 000007
【図６】
2013134380.tif 000008